【事件の表示】
　特許第３３７６０２２号「ホログラム原版の作成方法および作成装置」の請求項１乃至６に係る特許に対する特許異議の申立てについて、次のとおり決定する。
【結　論】
　訂正を認める。
　特許第３３７６０２２号の請求項１乃至５に係る特許を維持する。
【理　由】
１．手続の経緯
　特許第３３７６０２２号の請求項１乃至６に係る発明についての出願は、平成５年５月２７日に特許出願され、平成１４年１１月２９日にそれらの発明について特許権の設定登録がなされ、その後、その請求項１乃至６に係る特許について、異議申立人凸版印刷株式会社より特許異議の申立てがなされ、取消しの理由が通知され、その指定期間内である平成１６年１０月４日に訂正請求がなされたものである。
　
２．訂正の適否についての判断
（１）訂正の内容
イ．訂正事項ａ
　訂正前の特許請求の範囲の請求項１の記載「それぞれ絵柄の一部を構成する複数の閉領域をもった絵柄パターンを各閉領域の輪郭線によって表現し、この輪郭線を示す輪郭線データを作成する第１の段階」を、「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する第１の段階」に訂正する。
ロ．訂正事項ｂ
　訂正前の特許請求の範囲の請求項２の記載「それぞれ絵柄の一部を構成する複数の閉領域をもった絵柄パターンを各閉領域の輪郭線によって表現し、この輪郭線を示す輪郭線データを作成する輪郭線データ作成部」を、「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する輪郭線データ作成部」に訂正する。
ハ．訂正事項ｃ
　訂正前の特許請求の範囲の請求項１乃至６について、特許請求の範囲の減縮を目的として、請求項３を削除し、以下項教を繰り上げ、「【請求項３】乃至【請求項５】」と訂正する。
ニ．訂正事項ｄ
明細書の段落【０００６】の「絵柄の一部を構成する複数の閉領域をもった絵柄パターンを各閉領域の輪郭線によって表現し、この輪郭線を示す輪郭線データを作成する第１の段階」を、「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する第１の段階」に訂正する。
ホ．訂正事項ｅ
　明細書の段落【０００７】の「それぞれ絵柄の一部を構成する複数の閉領域をもった絵柄パターンを各閉領域の輪郭線によって表現し、この輪郭線を示す輪郭線データを作成する輪郭線データ作成部」を、「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する輪郭線データ作成部」に訂正する。
ヘ．訂正事項ｆ
　明細書の段落【０００８】の記載を削除する。
ト．訂正事項ｇ
　明細書の段落【０００９】の「(4)   本願第４の発明は、」を「(3)   本願第３の発明は、」に訂正する。
チ．訂正事項ｈ
　明細書の段落【００１０】の「(5)   本願第５の発明は、」を「(4)   本願第４の発明は、」に訂正する。
リ．訂正事項ｉ
　明細書の段落【００１１】の「(6)   本願第６の発明は、」を「(5)   本願第５の発明は、」に訂正する。
　
（２）訂正の目的の適否、新規事項の有無及び拡張・変更の存否
　訂正事項ａは、訂正前の請求項１に記載された「輪郭線データを作成する第１の段階」について、より下位概念である「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する第１の段階」と限定するもので、特許請求の範囲の減縮に相当する。そして、この訂正事項は本件明細書の段落【０００８】、【００２２】、【００２３】の記載に基づくもので、新規事項の追加に該当せず、また、実質的に特許請求の範囲を拡張又は変更するものではない。
　訂正事項ｂは、訂正前の請求項２に記載の「輪郭線データ作成部」について、より下位概念である「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する輪郭線データ作成部」と限定するもので、特許請求の範囲の減縮を目的とするものであり、また、願書に添付した明細書又は図面に記載した事項の範囲内の訂正であり、実質的に特許請求の範囲を拡張し又は変更するものでもない。
　訂正事項ｃは、請求項を削除する訂正であり、特許請求の範囲の減縮に相当するとともに、新規事項の追加に該当せず、また、実質的に特許請求の範囲を拡張又は変更するものではない。
　訂正事項ｄ〜ｉは、上記訂正事項ａ乃至ｃとの整合を図るもので、明りょうでない記載の釈明に相当する。そして、訂正事項ｄ〜ｉは新規事項の追加に該当せず、また、実質的に特許請求の範囲を拡張又は変更するものではない。
　
（３）むすび
　したがって、上記訂正は、特許法第１２０条の４第３項において準用する平成６年法律第１１６号による法改正前の第１２６条第１項ただし書、第２項及び第３項の規定に適合するので、当該訂正を認める。
　
３．特許異議の申立てについての判断
（１）本件発明
　上記２．で示したように上記訂正が認められるから、本件の請求項１乃至５に係る発明（以下、「本件発明１」乃至「本件発明５」という。）は、上記訂正に係る訂正明細書の特許請求の範囲の請求項１乃至５に記載された事項に特定される次のとおりのものである。
「【請求項１】　ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する第１の段階と、
　回折格子を構成する格子線の線幅、ピッチ、配置角度を、前記絵柄パターンの各閉領域ごとに設定した格子条件データを作成する第２の段階と、
　前記輪郭線データと前記格子条件データとに基づいて、前記絵柄パターンの各閉領域内に所定線幅の格子線を所定ピッチおよび所定角度で配置した格子パターンを発生し、この格子パターンを示す格子データを作成する第３の段階と、
　前記格子データに基づいて、前記格子パターンを物理的な原版上に形成させる第４の段階と、
　を有することを特徴とするホログラム原版の作成方法。
【請求項２】　ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する輪郭線データ作成部と、
　オペレータからの入力に基づき、回折格子を構成する格子線の線幅、ピッチ、配置角度を、前記絵柄パターンの各閉領域ごとに設定した格子条件データを作成する格子条件設定部と、
　前記輪郭線データと前記格子条件データとに基づいて、前記絵柄パターンの各閉領域内に所定線幅の格子線を所定ピッチおよび所定角度で配置した格子パターンを発生し、この格子パターンを示す格子データを作成する格子データ作成部と、
　前記格子データに基づいて、前記格子パターンを物理的な原版上に形成させる原版作成部と、
　を備えることを特徴とするホログラム原版の作成装置。
【請求項３】　請求項２に記載の作成装置において、
　格子条件設定部が、隣接して配置された複数の閉領域について格子条件データの設定を行うときに、１つの閉領域についての格子条件データを示す初期データと、この初期データに対する変動分を示す変動分データと、をオペレータから入力し、他の閉領域についての格子条件データについては、前記初期データおよび前記変動分データに基づいて自動的に設定する機能を有することを特徴とするホログラム原版の作成装置。
【請求項４】　請求項２に記載の作成装置において、
　格子条件設定部が、隣接して配置された複数の閉領域について格子条件データの設定を行うときに、第１の閉領域についての格子条件データを示す初期データと、第２の閉領域についての格子条件データを示す終期データと、をオペレータから入力し、前記第１の閉領域と前記第２の閉領域との間の閉領域についての格子条件データについては、前記初期データおよび前記終期データに基づく補間により、自動的に設定する機能を有することを特徴とするホログラム原版の作成装置。
【請求項５】　請求項２に記載の作成装置において、
　格子データ作成部が、１つの閉領域についての格子パターンを発生する際に、格子条件データに基づく所定ピッチおよび所定角度で平行線を発生させ、この平行線と前記閉領域についての輪郭線との交点を求め、この交点を両端点とする線分を定義し、格子条件データに基づく所定線幅を前記線分にもたせる太らせ処理を行うことを特徴とするホログラム原版の作成装置。」
　
（２）異議申立人提出の証拠及び平成１６年８月６日付け取消理由通知に引用された文献に記載された発明
刊行物１：特開平２−７２３２０号公報（異議申立人が提示した甲第１号証）
刊行物２：「Reprinted with permission from Applied Optics, Vol.28(15), pp.3387-3396（August 15,1989）.(c)1989 Optical Society of America 　”Computer aided design of computer generated holograms for electron beam fabrication”　pp.126〜135」
（同甲第２号証）
刊行物３：特開平３−１６４７８９号公報（同甲第３号証）
刊行物４：米国特許第４５６８１４１号明細書（同甲第４号証）
刊行物５：特開平２−６１８７公報（同甲第５号証）
　
（３）対比・判断
［本件発明１について］
　本件発明１と上記刊行物１乃至５に記載された発明とを比較検討する。
　刊行物１は、電子ビーム露光装置を用いて微少な回折格子をドット毎に２次元平面に配置することにより形成されるディスプレイとその作製方法に関する発明であって、パターンの描画形成にあたっては、回折格子のピッチ、方向、曲率などが定められたドットデータに従って、前記ドットデータに応じた位置までＸ−Ｙステージを移動し、そのドットの回折格子の描画を行うことが記載されている。
　刊行物２は、電子線リソグラフィ技術によるＣＧＨの作成方法に関する発明であって、回折現象を生じるのに適した微少な幅および微少な間隔、ならびに所定の角度を定義し、前記微少な幅を持った細長い四角形を定義・生成し、回折格子パターンを構成する各四角形の内部の領域と外部の領域とを区別した二値パターンを荷電粒子ビーム描画装置により描かせるための描画データを作成することが記載されている。
　刊行物３は、回折格子パターンを有するディスプレイの作成方法に関する発明であって、リファレンス光およびシグナル光を、拡げられた平行光として交錯させ、感光材料直前に配置されたマスクにより、対応する部分のみを透過させて干渉させることにより、任意の大きさ、任意の形状のドットを形成することが記載されている。
　刊行物４は、ホログラムに関する発明であって、記録すべき絵柄パターンを、それぞれ絵柄の一部を構成する複数の閉領域の集合として作成することが記載されている。
　刊行物５には、回折格子に関する発明であって、回折構造として部分面１０内に部分面８，９を有する回折構造が記載されている。
　しかしながら、刊行物１乃至５には、本件発明１の特徴的構成である「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する」点については記載も示唆もないものである。
　そして、本件発明１は、上記構成により各閉領域ごとに異なる条件で格子が形成されているため、閉領域ごとに異なった回折効果が得られ、もとの絵柄のモチーフを認識することができるという本件明細書記載の効果を奏するものである。
　したがって、本件発明１は、刊行物１乃至５に記載された発明に基づいて当業者が容易になし得た発明であるとはいえない。
　
「本件発明２について」
　本件発明２は、ホログラム原板の作成装置についての発明であり、「ループで囲まれた複数の閉領域からなる基本的モチーフを作成し、各閉領域の部分ごとに、外側のループを縮小したものを内側のループとして順次配置していく作業を行うことにより、１つのループによって囲まれた領域あるいは隣接する２つのループ間の領域に個々の閉領域を定義し、それぞれ絵柄の一部を構成する複数の閉領域をもった多重ループからなる絵柄パターンを各閉領域の輪郭線によって表現し、この輪郭線を示す輪郭線データを作成する輪郭線データ作成部」という特徴的構成を有するものであるが、上記［本件発明１について］で述べたとおり、刊行物１乃至５には当該特徴的構成について記載も示唆もないものあるから、本件発明２は刊行物１乃至５に記載された発明に基づいて当業者が容易になし得た発明であるとはいえない。
　
「本件発明３乃至５について」
　本件発明３乃至５は、本件発明２を引用する発明であり、本件発明２の構成を全て包含する発明であるから、上記［本件発明２について］で述べた理由と同様の理由により、本件発明３乃至５は刊行物１乃至５に記載された発明に基づいて当業者が容易になし得た発明であるとはいえない。
　
（４）むすび
　以上のとおりであるから、特許異議申立ての理由及びその証拠、並びに平成１６年８月６日付けの取消理由及びその証拠によっては、本件発明１乃至５についての特許を取り消すことができない。
　また、他に本件発明１乃至５についての特許を取り消すべき理由を発見しない。
　よって、結論のとおり決定する。
【異議決定日】
平成１７年９月２１日（２００５．９．２１）
【訂正の要旨】
審決（決定）の【理由】欄参照。
（５４）【発明の名称】
ホログラム原版の作成方法および作成装置
（５７）【特許請求の範囲】
　【請求項１】
ループで囲まれた複数の閉領域からなる基本的なモチーフを作成し、各閉領域の部分ごとに、外側のループを縮小したものを内側のループとして順次配置してゆく作業を行うことにより、１つのループによって囲まれた領域あるいは隣接する２つのループ間の領域に個々の閉領域を定義し、
多重ループからなる
　回折格子を構成する格子線の線幅、ピッチ、配置角度を、前記絵柄パターンの各閉領域ごとに設定した格子条件データを作成する第２の段階と、
　前記輪郭線データと前記格子条件データとに基づいて、前記絵柄パターンの各閉領域内に所定線幅の格子線を所定ピッチおよび所定角度で配置した格子パターンを発生し、この格子パターンを示す格子データを作成する第３の段階と、
　前記格子データに基づいて、前記格子パターンを物理的な原版上に形成させる第４の段階と、
　を有することを特徴とするホログラム原版の作成方法。
　【請求項２】
ループで囲まれた複数の閉領域からなる基本的なモチーフに基づいて、各閉領域の部分ごとに、外側のループを縮小したものを内側のループとして順次配置してゆく作業を行うことにより、１つのループによって囲まれた領域あるいは隣接する２つのループ間の領域に個々の閉領域を定義し、
多重ループからなる
　オペレータからの入力に基づき、回折格子を構成する格子線の線幅、ピッチ、配置角度を、前記絵柄パターンの各閉領域ごとに設定した格子条件データを作成する格子条件設定部と、
　前記輪郭線データと前記格子条件データとに基づいて、前記絵柄パターンの各閉領域内に所定線幅の格子線を所定ピッチおよび所定角度で配置した格子パターンを発生し、この格子パターンを示す格子データを作成する格子データ作成部と、
　前記格子データに基づいて、前記格子パターンを物理的な原版上に形成させる原版作成部と、
　を備えることを特徴とするホログラム原版の作成装置。
　【請求項
３
　格子条件設定部が、隣接して配置された複数の閉領域について格子条件データの設定を行うときに、１つの閉領域についての格子条件データを示す初期データと、この初期データに対する変動分を示す変動分データと、をオペレータから入力し、他の閉領域についての格子条件データについては、前記初期データおよび前記変動分データに基づいて自動的に設定する機能を有することを特徴とするホログラム原版の作成装置。
　【請求項
４
　格子条件設定部が、隣接して配置された複数の閉領域について格子条件データの設定を行うときに、第１の閉領域についての格子条件データを示す初期データと、第２の閉領域についての格子条件データを示す終期データと、をオペレータから入力し、前記第１の閉領域と前記第２の閉領域との間の閉領域についての格子条件データについては、前記初期データおよび前記終期データに基づく補間により、自動的に設定する機能を有することを特徴とするホログラム原版の作成装置。
　【請求項
５
　格子データ作成部が、１つの閉領域についての格子パターンを発生する際に、格子条件データに基づく所定ピッチおよび所定角度で平行線を発生させ、この平行線と前記閉領域についての輪郭線との交点を求め、この交点を両端点とする線分を定義し、格子条件データに基づく所定線幅を前記線分にもたせる太らせ処理を行うことを特徴とするホログラム原版の作成装置。
【発明の詳細な説明】
　【０００１】
　【産業上の利用分野】
　本発明はホログラム原版の作成方法および作成装置、特に、真正な物品であることを証明するためのセキュリティ用ホログラムシールの原版作成に適したホログラム原版の作成方法および作成装置に関する。
　【０００２】
　【従来の技術】
　クレジットカード、預金通帳、金券などの偽造を防止するための手段として、ホログラムシールが利用されている。また、ビデオテープや高級腕時計などの商品についても、海賊版が出回るのを防止するために、ホログラムシールが利用されている。この他、装飾用、販売促進用といった目的にも、ホログラムシールが利用されている。このようなホログラムシールには、三次元立体像ではなく二次元の絵柄がモチーフとして用いられることが多い。
　【０００３】
　このようなホログラムシールの原版を作成するには、通常、レーザ光を用いて干渉縞を形成させる光学的なホログラム撮影方法が用いられている。すなわち、二次元の絵柄モチーフが描かれた原稿を用意し、２つに分岐させたレーザ光の一方をこの原稿に照射し、その反射光と分岐したもう一方のレーザ光とを干渉させてその干渉縞を感光材に記録するのである。こうしてホログラム原版が作成できたら、この原版を用いて、プレスの手法によりホログラムシールを量産することができる。
　【０００４】
　【発明が解決しようとする課題】
　しかしながら、上述した従来の光学的なホログラム撮影方法には、鮮明なホログラム像が得られないという問題がある。すなわち、光学的に形成された干渉縞は、振動に敏感であるため、振動を完全に排除した環境でのホログラム撮影を行う必要がある。ところが、かなりの精度の防振台を用いて撮影を行っても、振動を完全に排除することは困難であり、このため、干渉縞の記録像にいわゆる「ボケ」が生じ、コントラストのある明るいホログラム像が得られないのである。また、用いるレーザ光の発振波長にもゆらぎが生じるため、くも硝子状ノイズが避けられない。このように、光学的なホログラム撮影には再現性が悪いという問題があるため、同じ原版を何枚か作成することも困難になる。
　【０００５】
　そこで本発明は、鮮明なホログラム像が得られ、しかも再現性の良いホログラム原版の作成方法および作成装置を提供することを目的とする。
　【０００６】
　【課題を解決するための手段】
　（１）本願第１の発明は、
ループで囲まれた複数の閉領域からなる基本的なモチーフを作成し、各閉領域の部分ごとに、外側のループを縮小したものを内側のループとして順次配置してゆく作業を行うことにより、１つのループによって囲まれた領域あるいは隣接する２つのループ間の領域に個々の閉領域を定義し、
多重ループからなる
　回折格子を構成する格子線の線幅、ピッチ、配置角度を、絵柄パターンの各閉領域ごとに設定した格子条件データを作成する第２の段階と、
　輪郭線データと格子条件データとに基づいて、絵柄パターンの各閉領域内に所定線幅の格子線を所定ピッチおよび所定角度で配置した格子パターンを発生し、この格子パターンを示す格子データを作成する第３の段階と、
　格子データに基づいて、格子パターンを物理的な原版上に形成させる第４の段階と、
　を行い、ホログラム原版を作成するようにしたものである。
　【０００７】
　（２）本願第２の発明は、ホログラム原版の作成装置において、
　
ループで囲まれた複数の閉領域からなる基本的なモチーフに基づいて、各閉領域の部分ごとに、外側のループを縮小したものを内側のループとして順次配置してゆく作業を行うことにより、１つのループによって囲まれた領域あるいは隣接する２つのループ間の領域に個々の閉領域を定義し、
多重ループからなる
　オペレータからの入力に基づき、回折格子を構成する格子線の線幅、ピッチ、配置角度を、絵柄パターンの各閉領域ごとに設定した格子条件データを作成する格子条件設定部と、
　輪郭線データと格子条件データとに基づいて、絵柄パターンの各閉領域内に所定線幅の格子線を所定ピッチおよび所定角度で配置した格子パターンを発生し、この格子パターンを示す格子データを作成する格子データ作成部と、
　格子データに基づいて、格子パターンを物理的な原版上に形成させる原版作成部と、
　を設けたものである。
　【０００８】
　【０００９】
　
（３）本願第３の発明は、
　格子条件設定部が、隣接して配置された複数の閉領域について格子条件データの設定を行うときに、１つの閉領域についての格子条件データを示す初期データと、この初期データに対する変動分を示す変動分データと、をオペレータから入力し、他の閉領域についての格子条件データについては、初期データおよび変動分データに基づいて自動的に設定するようにしたものである。
　【００１０】
　
（４）本願第４の発明は、
　格子条件設定部が、隣接して配置された複数の閉領域について格子条件データの設定を行うときに、第１の閉領域についての格子条件データを示す初期データと、第２の閉領域についての格子条件データを示す終期データと、をオペレータから入力し、第１の閉領域と第２の閉領域との間の閉領域についての格子条件データについては、初期データおよび終期データに基づく補間により、自動的に設定するようにしたものである。
　【００１１】
　
（５）本願第５の発明は、
　格子データ作成部が、１つの閉領域についての格子パターンを発生する際に、格子条件データに基づく所定ピッチおよび所定角度で平行線を発生させ、この平行線と当該閉領域についての輪郭線との交点を求め、この交点を両端点とする線分を定義し、格子条件データに基づく所定線幅をこの線分にもたせる太らせ処理を行うようにしたものである。
　【００１２】
　【作　用】
　本発明に係るホログラム原版の作成方法の特徴は、従来の光学的なホログラム撮影方法に代えて、コンピュータにより回折格子パターンを発生させ、これを原版上にホログラムパターンとして記録する点にある。すなわち、まず、複数の閉領域をもった絵柄パターンを各閉領域の輪郭線によって表現した輪郭線データを作成する。続いて、この各閉領域について、格子条件の設定を行う。具体的には、回折格子を構成する格子線の線幅、ピッチ、配置角度、が格子条件として各閉領域ごとに設定される。どのような格子条件が設定されるかは、オペレータの指示入力次第であり、各閉領域ごとに、異なる格子条件を自由に設定することができる。設定した格子条件は、格子データの形式で出力される。こうして、輪郭線データと格子データとが作成できれば、これらのデータに基づいて格子パターンが発生できる。この格子パターンは、各閉領域ごとに所定の格子条件で発生した回折格子から構成される。最後に、この格子パターンが物理的な原版上に形成される。こうして、原版上には、所定の絵柄をモチーフとした回折格子パターンが生成されることになる。各閉領域ごとに異なる条件で格子が形成されているため、閉領域ごとに異なった回折効果が得られ、もとの絵柄のモチーフを認識することができる。
　【００１３】
　要するに、本発明によれば、光学的な撮影を行うことなしに、コンピュータによって発生した回折格子パターンによってホログラムの作成が可能になる。一度作成した輪郭線データおよび格子データを保存しておき、これらのデータに基づいて再度原版の作成作業を行えば、全く同じ原版を得ることができ、ほぼ完全な再現性が得られることになる。また、光学的な撮影を行う必要がないため、鮮明なホログラム像が得られる。
　【００１４】
　なお、一般に「ホログラム」という文言は、干渉縞によって得られた像を指す言葉として用いられており、そのような意味からすれば、本願方法によって原版に作成される像は、「ホログラム」ではなく「回折格子パターン」と言うべきものである。しかしながら、この原版から量産された偽造防止用のシールは、一般に「ホログラムシール」と呼ばれているため、本願明細書においては、原版に作成された「回折格子パターン」についても「ホログラム」という言葉を用いることにする。
　【００１５】
　【実施例】
　以下、本発明を図示する実施例に基づいて説明する。図１は本発明に係るホログラム原版の作成装置の基本構成を示すブロック図である。この装置の基本構成要素は、輪郭線データ作成部１、格子条件設定部２、格子データ作成部３、原版作成部４である。各ブロックの右に示されているパターン等は、各装置による作成物を示す概念図である。
　【００１６】
　輪郭線データ作成部１は、複数の閉領域をもった絵柄パターンを各閉領域の輪郭線によって表現し、この輪郭線を示す輪郭線データを作成する機能を有する。具体的には、一般的に用いられている作画装置（たとえば、作画プログラムを搭載したパーソナルコンピュータ）をこの輪郭線データ作成部１として用いることができる。ここで作成された絵柄パターンが、最終的なホログラム原版においてモチーフとして表現されることになる。一般的な作画装置によって作成される絵柄パターンには、大別して２つのタイプのデータ形式がある。第１のタイプは一般に「ドロー系」と呼ばれているデータ形式であり、輪郭線をベクトルデータで表現したものである。第２のタイプは一般に「ペイント系」と呼ばれているデータ形式であり、パターン全体をラスターデータで表現したものである。本発明では、「ドロー系」のデータ形式で絵柄の作成を行うことができる作画装置（ＣＡＤ装置）を用いる。すなわち、作成された絵柄パターンは輪郭線データによって表現されることになる。このような機能をもった作画装置は、種々のものが公知であるため、ここでは詳しい説明は省略する。なお、輪郭線データ作成部１として、スキャナ装置を備えたものを用いれば、紙面上に描かれた絵柄パターンを取り込むことも可能である。
　【００１７】
　図１には、３つの閉領域▲１▼，▲２▼，▲３▼からなる単純な絵柄パターンＰを作成した例が示されている。輪郭線データ作成部１は、このような絵柄パターンＰを輪郭線データＣという形式で出力することになる。なお、この実施例では、後の演算処理を効率的に行うことができるように、絵柄の輪郭線の曲線部分については、これを細かな直線で近似し、各直線をベクトルデータで表現するようにしている。作画装置によっては、直線と曲線（たとえば、ベジェ曲線）によって絵柄作成を行う機能をもったものもあるが、このような曲線を含む輪郭線データに対しては、直線による近似処理を施しておけばよい。
　【００１８】
　格子条件設定部２は、輪郭線データ作成部１によって作成された輪郭線データによって特定される各閉領域のそれぞれについて、オペレータからの入力に基づき、回折格子を構成する格子線の線幅、ピッチ、配置角度を、設定し、これを格子条件データとして出力する機能を有する。たとえば、図１に示すような輪郭線データＣによって、３つの閉領域▲１▼，▲２▼，▲３▼からなる絵柄パターンＰが特定されている場合、これら各閉領域▲１▼，▲２▼，▲３▼のそれぞれについて、格子線の線幅、ピッチ、配置角度を設定したものが格子条件データＱとして出力される。この格子条件データＱは、オペレータからの入力に基づいて設定される。格子条件設定部２は、実際には、パーソナルコンピュータやワークステーションに所定のプログラムを搭載することにより実現される。本実施例の装置では、与えられた輪郭線データＣに基づいて、ディスプレイ上に、閉領域▲１▼，▲２▼，▲３▼を有する絵柄パターンＰを表示させ、マウスやキーボードなどの入力機器を用いて、設定対象となる閉領域を指定しながら格子条件データの入力を行えるような構成にしている。もっとも、格子線の線幅、ピッチ、配置角度からなる格子条件データのすべてをオペレータによって入力させることは必ずしも必要ではない。たとえば、格子線の線幅をピッチと同一にするように取り決めておけば、線幅の入力は不要になる。また、線幅やピッチを特定の値に固定しておけば、これらを一々入力する必要はなくなる。
　【００１９】
　格子データ作成部３は、輪郭線データ作成部１によって作成された輪郭線データと、格子条件設定部２によって作成された格子条件データと、に基づいて、絵柄パターンの各閉領域内に所定線幅の格子線を所定ピッチおよび所定角度で配置した格子パターンを発生し、この格子パターンを示す格子データを作成する機能を有する。図１に示す例では、輪郭線データＣと格子条件データＱとに基づいて、格子パターンＬに対応する格子データＤが作成されることになる。ここでは、３つの閉領域▲１▼，▲２▼，▲３▼について、格子線の線幅およびピッチを一定とし、配置角度だけを変えた場合の例が示されている。この格子データ作成部３も、実際には、パーソナルコンピュータやワークステーションに所定のプログラムを搭載することにより実現できる。本実施例の装置では、格子条件設定部２と格子データ作成部３とを、ハードウエア的には同一の機器で構成している。なお、格子データＤとしては、要するに、格子パターンＬを表現できる画像データであれば、ラスター形式の画像データでも、ベクトル形式の画像データでもかまわない。ただし、この格子データＤを原版作成部４に与える次の工程を考慮すれば、原版作成部４が取り扱うことのできるフォーマットで記述された格子データＤを作成しておくのが好ましい。
　【００２０】
　原版作成部４は、格子データ作成部３によって作成された格子データに基づいて、格子パターンを物理的な原版上に形成させる機能をもった装置である。図１の例では、格子パターンＬに対応したパターンが物理的に形成されたホログラム原版Ｈが得られることになる。本実施例では、この原版作成部４として、荷電粒子ビーム描画装置を用いている。より具体的には、フォトマスク作成用の電子線ビーム描画装置を用いている。格子パターンＬ上の格子線の線幅やピッチは、回折現象を生じるのに十分小さな値（たとえば、１μｍ程度）であるため、電子線ビーム描画装置はこのような微細なパターンを生成するために非常に適している。もっとも、この原版作成部４は、荷電粒子ビーム描画装置に限定されるものではなく、たとえば、プリンタなどで格子パターンＬの拡大像をフィルム上に出力させた後、これを光学的な方法で縮小してホログラム原版を得るような手段を用いてもかまわない。
　【００２１】
　このように、本発明の方法では、格子パターンＬに対応する格子データＤを用意する段階まではコンピュータによるデータ処理によって行うことができ、この格子データＤに基づいてホログラム原版Ｈ上に物理的な回折格子を形成させるため、再現性が非常に良くなる。すなわち、同じ格子データを用いれば、ほぼ同じホログラム原版を得ることが可能になる。また、ホログラム原版上の像は、光学的に形成された干渉縞像ではなく、コンピュータによって発生させた回折格子パターンであるため、非常に鮮明になる。なお、このような点からは、本発明によって最終的に作成されるものは、純粋な意味における「ホログラム原版」ではなく、「疑似ホログラム原版」、あるいは「回折格子パターン」というべきものであるが、前述したように、本願明細書では「ホログラム原版」という言葉を用いることにする。
　【００２２】
　続いて、図１に示す装置の動作を、具体的な絵柄パターンを用いた例に基づいて詳述する。ここでは、図２に示すようなモチーフに基づいてホログラム原版を作成する場合を考える。図２に示すモチーフは、３つの閉領域▲１▼，▲２▼，▲３▼から構成される比較的単純なモチーフである。このような単純なモチーフをそのまま絵柄パターンとして用いることももちろん可能である。この場合は、図１に示した例と同様に、３つの閉領域の内部に、それぞれ格子パターンが生成されることになる。ただ、偽造防止用のホログラムシールとしては、できるだけ複雑な絵柄パターンを用いるのが好ましい。そこで、この実施例では、多重ループによって絵柄パターンを形成する方法を採っている。すなわち、図２に示すようなモチーフに対して、図３に示すような絵柄パターンを用いるのである。この絵柄パターンは、３つのグループＧ１，Ｇ２，Ｇ３に分けることができ、これらの各グループは、図２に示すモチーフにおける閉領域▲１▼，▲２▼，▲３▼に対応するものである。ただ、図２のモチーフが一重の輪郭線によって絵柄を表現していたのに対し、図３のパターンは多重ループによって絵柄を表現している。
　【００２３】
　このような多重ループによる絵柄表現を採ると、閉領域の数を増やすことができ、パターンを複雑化させることができる。たとえば、図３の絵柄パターンでは、グループＧ１，Ｇ２の部分にはそれぞれ５重のループにより５つの閉領域が形成され、グループＧ３の部分には４重のループにより４つの閉領域が形成され、合計で１４個の閉領域が形成されている。要するに、最も内側のループによって囲まれた領域あるいは隣接する２つのループ間の領域を、１つの閉領域として取り扱うことができるようになる。したがって、各閉領域ごとに異なる格子パターンを設定すれば、かなり複雑なホログラム像を生成することができる。このような多重ループからなる絵柄パターンを作画装置によって作成する作業は比較的簡単である。すなわち、まず図２に示すような基本的なモチーフを作成し、続いて、各閉領域の部分ごとに、外側のループを縮小したものを内側のループとして順次配置してゆく作業を行えばよい。
　【００２４】
　さて、輪郭線データ作成部１において、図３に示すような多重ループからなる絵柄パターンが作成されたものとして、以下の説明を続ける。なお、この多重ループからなる絵柄パターンは、ループ自身が輪郭線を構成しており、前述したように、曲線部分については細かな直線の集合によって近似される。輪郭線データ作成部１から出力される輪郭線データＣは、結局、この個々のループを直線近似のベクトルデータで表現したものになる。
　【００２５】
　格子条件設定部２では、図３に示す絵柄パターンを構成する１４個の閉領域のそれぞれについて、格子条件の設定が行われることになる。この設定手順を、図４の流れ図に基づいて説明する。この実施例の装置では、格子条件の設定方法として、２とおりの方法を用意している。第１の方法は、ループ単位（１つの閉領域単位）の設定であり、第２の方法は、グループ単位（複数の閉領域単位）の設定である。まず、ステップＳ１において、オペレータは設定方法の選択を行う。たとえば、ループ単位での設定方法を指示する入力を行うと、ステップＳ２において第１のループを指定し、ステップＳ３において第２のループを指定する作業を行うことができる。具体的には、グループＧ１についてループ単位での設定を行う場合、図５に示すように、５つのループＬ１〜Ｌ５のうちの隣接する２つのループを指定することになる。たとえば、図５におけるループＬ３を第１のループ、ループＬ４を第２のループとして指定すると、この２つのループ間の閉領域が設定対象として選択されたことになる。
　【００２６】
　なお、この実施例の装置では、格子条件設定部２はカラーディスプレイ装置を含んでおり、この格子条件の設定作業中、図３に示すような絵柄パターンをこのディスプレイ装置によって表示させるようにしている。オペレータは、この表示を見ながら、マウスあるいはキーボードなどの入力機器を用いて、特定のループを指定する入力を行うことができる。また、この装置では、オペレータがループ指定を行うたびに、指定されたループだけが色を変えて表示されるようにしてある。たとえば、ループＬ３，Ｌ４を指定した場合、これら２つのループの表示色が変化する。これにより、オペレータは、現在、どのループが指定されているかを視覚的に認識することができる。
　【００２７】
　こうして、ループ指定により特定の閉領域が指定されたら、ステップＳ４において、この設定対象となる特定の閉領域についての条件設定を行う。具体的には、その閉領域内に生成する格子線の線幅、ピッチ、配置角度の入力が行われる。たとえば、ループＬ３，Ｌ４によって囲まれる閉領域内に、図６に示すような格子線を生成するのであれば、線幅ｄ、ピッチｐ、配置角度θ（この例では、Ｘ軸を基準軸としたときの角度）を指定する入力を行えばよい。もっとも、線幅ｄやピッチｐを常に所定の値に固定しておくのであれば、配置角度θのみを指定する入力を行えばよい。線幅ｄおよびピッチｐは、ホログラムから観測される光の色を決定するパラメータとなり、配置角度θは光が観測される向きを決定するパラメータとなる。
　【００２８】
　続いて、格子条件設定部２は、ステップＳ５において、条件設定が完了した領域に疑似格子線の表示を行う。たとえば、図６に示すように、ループＬ３，Ｌ４によって囲まれた閉領域についての条件設定が完了すると、図７に示すように、ディスプレイ装置上で、この閉領域に疑似格子線が表示される。実際の格子線の線幅ｄやピッチｐは、１μｍ程度の値であるため、実際に設定されたとおりの条件で格子線の表示を行うと、ディスプレイ装置の解像度ではとても表示することはできない。そこで、線幅ｄやピッチｐを実際の何倍にも拡大し、かつ、実際の格子線を間引いて本数を減らした疑似格子線を、配置角度θ（これは設定どおり表示できる）で表示するのである。オペレータは、この表示を見て、どの閉領域についての条件設定が完了しているかを認識することができるとともに、その閉領域について設定された配置角度θを認識することができる。なお、ディスプレイ画面への表示倍率を変更する機能を設けておき、十分に拡大した画面においては、実際の格子線の線幅ｄやピッチｐに応じた表示を行うようにしてもよい。最後に、ステップＳ６を経て、ステップＳ１の手順へと戻る。この手順を繰り返して行えば、各閉領域ごとに格子条件の設定を行うことができる。
　【００２９】
　なお、ステップＳ２，Ｓ３における２つのループ指定は、必ずしも必要なものではない。たとえば、図５のループＬ１の内側の閉領域を条件設定の対象とする場合には、ステップＳ２において、ループＬ１を指定するだけで対象となる閉領域は特定される。あるいは、前回、第１のループとして指定されたループを、次回は自動的に第２のループとして取り扱うようにすれば、毎回、第１のループを新たに指定してゆけばよい。このような指定方法は、操作性を考慮して適宜変更しうるものである。
　【００３０】
　一方、ステップＳ１において、グループ単位の設定方法を指示する入力を行うと、複数の閉領域を対象とした一括指定が可能になる。まず、ステップＳ７において、グループの指定を行う。ここでは、図３に示す絵柄パターンの中のグループＧ１を指定したものとする。続いて、ステップＳ８において条件設定を行うが、このとき、ループＬ１〜Ｌ５によって形成される５つの閉領域▲１▼〜▲５▼についての条件設定を一括して行うのである。いま、たとえば、図８に示す表のような条件設定を意図していたとしよう。この条件設定では、線幅はいずれの閉領域においても０．６μｍと一定であり、ピッチも１．２μｍと一定である。ただ、配置角度については、閉領域▲１▼（ループＬ１の内部領域）が０°で、以下外側の閉領域にゆくに従って１０°ずつ増加してゆき、閉領域▲５▼（ループＬ４，Ｌ５で囲まれた一番外側の領域）が４０°となっている。
　【００３１】
　このような規則的な条件設定を行う場合には、グループ単位での設定が便利である。条件設定の方法としては、この実施例では２とおりの方法を用意している。第１の方法は、初期条件と変動分とを指定する方法であり、図８に示す例の場合、閉領域▲１▼に対して配置角度の初期条件として０°を指定し、変動分として＋１０°を指定すればよい。第２の方法は、初期条件と終期条件とを指定する方法であり、図８に示す例の場合、閉領域▲１▼に対して配置角度の初期条件として０°を指定し、閉領域▲５▼に対して配置角度の終期条件として４０°を指定すればよい。これらの間の閉領域▲２▼〜▲４▼については、線形補間によって配置角度の設定を自動的に行うようにする。また、初期条件、終期条件の他に、中間条件を指定する方法も可能である。たとえば、図９に示すように、閉領域▲１▼〜▲９▼までが連続して配置されている場合、閉領域▲１▼に対して配置角度の初期条件として−３０°を指定し、閉領域▲９▼に対して配置角度の終期条件として同じ−３０°を指定し、更に、閉領域▲５▼に対して配置角度の中間条件として３０°を指定することにより、閉領域▲１▼〜▲５▼間および閉領域▲５▼〜▲９▼間をそれぞれ線形補間することにより、すべての閉領域の配置角度の設定を自動的に行うことができる。
　【００３２】
　こうして、オペレータはディスプレイ装置上に表示された絵柄パターンの各閉領域を見ながら、すべての閉領域に疑似格子線表示がなされるまで、格子条件の設定作業を続けてゆく。すべての格子条件が設定されたら、この設定された条件が格子条件データＱとして格子条件設定部２から出力される。本実施例の装置では、輪郭線データ作成部１から出力される輪郭線データＣも、格子条件設定部２から出力される格子条件データＱも、いずれもフロッピディスク内にファイル形式で保存されるようにしている。
　【００３３】
　このように、フロッピディスクにファイル形式で、輪郭線データＣおよび格子条件データＱが用意できたら、これを格子データ作成部３に入力する。格子データ作成部３は、これらのデータに基づいて格子パターンを作成し、これを格子データＤという形式で出力する。以下、格子データ作成部３による格子パターン作成処理の具体的な手法の一例を説明する。ここでは、説明の便宜上、図５に示す絵柄パターンのうち、ループＬ１で囲まれた閉領域についての格子パターンを作成する処理を例にとる。この処理の基本手順は、格子条件データＱに基づくピッチｐおよび配置角度θで平行線を発生させ、この平行線とループＬ１（閉領域の輪郭線）との交点を求め、この交点を両端点とする線分を定義し、格子条件データＱに基づく線幅ｄを前記線分にもたせる太らせ処理を行うというものである。
　【００３４】
　この実施例では、配置角度θの大きさによって、２とおりの異なる処理を行うようにしている。まず、−４５°≦θ≦４５°の場合には、次のようにして平行線を発生させる。すなわち、図１０に示すように、対象となる閉領域についての中心点Ａの座標値（ｘ０，ｙ０）を演算によって求める。前述したように、本実施例では、輪郭線データはすべて直線近似によるベクトルデータで構成されており、図１０に示すループＬ１も、実際には楕円ではなく多角形で表現されていることになる。そこで、この多角形を構成する各頂点の重心位置を演算によって求め、この重心位置を中心点Ａの座標値（ｘ０，ｙ０）とすればよい。そして、この中心点Ａ（ｘ０，ｙ０）を通り、傾きが格子条件として設定された配置角度θであるような直線を求め、この直線を基準にして、次のような式で示される複数の直線を求める。
　【００３５】
　　ｙ＝ｔａｎθ（ｘ−ｘ０）＋ｙ０＋ｄｙ・ｎ
　　ｄｙ＝ｐ／ｃｏｓθ
ここで、ｐは格子条件として設定されたピッチであり、ｎは０，±１，±２，…という整数である。この結果、図１１に示すような複数の平行線が求まることになる。ｎ＝０の直線が中心点Ａを通る基準となる直線であり、この両脇にループＬ１と交差する複数の直線が求められる。ループＬ１と交差しない直線は必要ない。
　【００３６】
　続いて、これらの平行線とループＬ１との交点を求め、この交点を両端点とする線分を定義する。たとえば、ｎ＝０に対応する直線については、図１２に示すように、２つの交点Ａ１（ｘ１，ｙ１），Ａ２（ｘ２，ｙ２）が求まり、この２点を両端点とする線分ｍが定義できる。
　【００３７】
　次に、この線分ｍに格子条件として設定された所定の線幅ｄをもたせる太らせ処理が行われる。この太らせ処理は、幅の要素をもたない幾何学上の線分に対して幅を与える処理であり、実際には、線分を細長い四角形に置き換える処理である。ここでは特に、細長い平行四辺形に置き換える方法を説明する。また、演算を簡単にするため、線幅ｄ＝ピッチｐ／２という条件設定がされている場合を例にとる。いま、図１２に示すように、両端点Ａ１（ｘ１，ｙ１），Ａ２（ｘ２，ｙ２）をもつ線分ｍが定義されている場合に、この線分ｍを細長い平行四辺形に置き換える処理を行う場合を考える。この場合、次のような４頂点を演算により求める。
　【００３８】
　　（Ｘ１，Ｙ１）＝（ｘ１，ｙ１＋ｄｙ／４）
　　（Ｘ２，Ｙ２）＝（ｘ１，ｙ１−ｄｙ／４）
　　（Ｘ３，Ｙ３）＝（ｘ２，ｙ２−ｄｙ／４）
　　（Ｘ４，Ｙ４）＝（ｘ２，ｙ２＋ｄｙ／４）
この結果、この４頂点により図１３に示すような平行四辺形が求められる。この平行四辺形では、短辺がいずれもＹ軸に平行になる。図１１に示すように合計５本の平行線が求められた場合には、図１４に示すように、短辺がいずれもＹ軸に平行な５つの平行四辺形ｇ１〜ｇ５が得られることになる。なお、図ではこれらの平行四辺形の短辺と長辺との比はそれほど大きくないが、実際には、短辺は１μｍ程度のオーダの長さであり、長辺は１ｍｍ程度のオーダの長さになるのが一般的である。したがって、これらの平行四辺形は、巨視的に見れば線分と見做せるような非常に細長い平行四辺形になる。
　【００３９】
　一方、４５°＜θ＜９０°、あるいは、−９０°＜θ＜−４５°の場合には、次のようにして平行線を発生させる。まず、前述の場合と同様に、図１０に示すような中心点Ａの座標値（ｘ０，ｙ０）を演算によって求める。そして、この中心点Ａ（ｘ０，ｙ０）を通り、傾きが格子条件として設定された配置角度θであるような直線を求め、この直線を基準にして、次のような式で示される複数の直線を求める。
　【００４０】
　　ｘ＝ｔａｎθ´（ｙ−ｙ０）＋ｘ０＋ｄｘ・ｎ
　　ｄｘ＝ｐ／ｃｏｓθ´
ここで、θ＝´９０°−θ（但し、４５°＜θ＜９０°の場合）、θ´＝−（９０°＋θ）（但し、−９０°＜θ＜−４５°の場合）である。この結果、図１５に示されるような複数の平行線が求められる。
　【００４１】
　続いて、これらの平行線とループＬ１との交点を求め、この交点を両端点とする線分ｍを定義し、これに対して太らせ処理を行う。たとえば、図１６に示すように、両端点（ｘ１，ｙ１），（ｘ２，ｙ２）をもつ線分ｍが定義されている場合に、この線分ｍについて次のような４頂点を求め、線分ｍをこの４頂点をもった細長い平行四辺形に置き換える。
　【００４２】
　　（Ｘ１，Ｙ１）＝（ｘ１−ｄｘ／４，ｙ１）
　　（Ｘ２，Ｙ２）＝（ｘ１＋ｄｘ／４，ｙ１）
　　（Ｘ３，Ｙ３）＝（ｘ２＋ｄｘ／４，ｙ２）
　　（Ｘ４，Ｙ４）＝（ｘ２−ｄｘ／４，ｙ２）
この平行四辺形では、短辺がいずれもＸ軸に平行になる。図１５に示すように合計７本の平行線が求められた場合には、図１７に示すように、短辺がいずれもＸ軸に平行な７つの平行四辺形ｇ１〜ｇ７が得られることになる。なお、これらの平行四辺形も巨視的に見れば線分と見做せるような非常に細長い平行四辺形になる。
　【００４３】
　以上、ループＬ１で囲まれた閉領域についての格子パターン作成方法について述べたが、２つのループに囲まれた閉領域についてもほぼ同様の方法により格子パターンが作成できる。たとえば、図１８に示すように、ループＬ３，Ｌ４で囲まれた閉領域については、１本の直線について４つの交点Ｑ１〜Ｑ４が得られることになるので、線分Ｑ１Ｑ２に対する太らせ処理によって平行四辺形ｇａを作成し、線分Ｑ３Ｑ４に対する太らせ処理によって平行四辺形ｇｂを作成すればよい。こうして、すべての閉領域について平行四辺形による格子パターンが作成できたら、この格子パターンは格子データＤとして出力される。原版作成部４は、この格子データＤに基づいて物理的な格子パターンを形成し、ホログラム原版Ｈを作成する。
　【００４４】
　結局、上述の方法では、１本１本の格子線は、すべて非常に細長い平行四辺形によって構成されることになる。しかも、配置角度θが±４５°を越えるか否かで、２とおりの平行四辺形が用いられている。すなわち、第１の平行四辺形は短辺がＹ軸に平行になり、第２の平行四辺形は短辺がＸ軸に平行になる。このように、短辺がいずれかの座標軸に平行になるような平行四辺形を作成するようにしたのは、原版作成部４による原版作成処理の便宜を考慮したためである。前述したように、この実施例では、原版作成部４として、フォトマスク作成用の電子ビーム描画装置を用いている。この描画装置では、任意の四角形を描画するよりも、対向する一対の辺がいずれかの座標軸に平行となるような平行四辺形を描画する方が、はるかに効率良く描画できるのである。これは、電子ビームのスポットを各座標軸方向に走査しながら描画するためである。したがって、上述のような方法で平行四辺形を作成しておくと、非常に効率良い描画が可能になる。
　【００４５】
　以上、本発明を図示する実施例に基づいて説明したが、本発明はこの実施例のみに限定されるものではなく、この他にも種々の態様で実施可能である。たとえば、上述の実施例では、格子線として非常に細長い平行四辺形を用いているが、これはフォトマスク作成用の電子ビーム描画装置における描画効率を向上させるためのものであり、本発明において必須の事項ではない。したがって、非常に細長い長方形を格子線として用いてもかまわない。また、図１に示したブロック図では、輪郭線データ作成部１、格子条件設定部２、格子データ作成部３、をそれぞれ別個の構成要素として示したが、これらをハードウエア的に全く同一のコンピュータシステムで構成してもかまわない。
　【００４６】
　【発明の効果】
　以上のとおり、本発明に係るホログラム原版の作成方法および作成装置によれば、コンピュータにより回折格子パターンを発生させ、これを原版上にホログラムパターンとして記録するようにしたため、再現性が良好で、鮮明なホログラム像が得られる。
【図面の簡単な説明】
　【図１】
　本発明に係るホログラム原版の作成装置の基本構成を示すブロック図である。
　【図２】
　ホログラムパターンのもとになるモチーフの一例を示す図である。
　【図３】
　図２に示すモチーフを、多重ループで表現することによって得られた絵柄パターンを示す図である。
　【図４】
　図１に示す装置における格子条件設定部２の処理手順を説明する流れ図である。
　【図５】
　図３に示す絵柄パターンの部分拡大図である。
　【図６】
　図５に示す絵柄パターンの１つの閉領域に定義された格子条件を示す図である。
　【図７】
　図４に示す流れ図におけるステップＳ５の疑似格子線表示処理の一例を示す図である。
　【図８】
　図４に示す流れ図におけるステップＳ８の条件設定処理の一例を示す図である。
　【図９】
　図４に示す流れ図におけるステップＳ８の条件設定処理の別な一例を示す図である。
　【図１０】
　図１に示す装置における格子データ作成部３による中心点決定処理を示す図である。
　【図１１】
　図１に示す装置における格子データ作成部３による平行線発生処理を示す図である。
　【図１２】
　図１１に示す平行線に基づく線分決定処理を示す図である。
　【図１３】
　図１に示す装置における格子データ作成部３による太らせ処理を示す図である。
　【図１４】
　図１１に示す平行線に基づいて得られた各線分について太らせ処理を完了した状態を示す図である。
　【図１５】
　図１に示す装置における格子データ作成部３による別な平行線発生処理を示す図である。
　【図１６】
　図１に示す装置における格子データ作成部３による別な太らせ処理を示す図である。
　【図１７】
　図１５に示す平行線に基づいて得られた各線分について太らせ処理を完了した状態を示す図である。
　【図１８】
　２つのループに囲まれた閉領域についての格子データ作成処理を示す図である。
　【符号の説明】
　１…輪郭線データ作成部
　２…格子条件設定部
　３…格子データ作成部
　４…原版作成部
　▲１▼〜▲９▼…閉領域
　Ａ…中心点
　Ｃ…輪郭線データ
　Ｇ１〜Ｇ３…絵柄パターンを構成するグループ
　Ｄ…格子データ
　Ｈ…ホログラム原版
　Ｌ…格子パターン
　Ｌ１〜Ｌ５…ループ（閉領域の輪郭線）
　Ｐ…絵柄パターン
　Ｑ…格子条件データ
　Ｑ１〜Ｑ４…交点
　ｄ…格子線の線幅
　ｇ，ｇａ，ｇｂ，ｇ１〜ｇ７…平行四辺形
　ｍ…線分
　ｐ…格子線のピッチ
　θ…格子線の配置角度